(57)【要約】【課題】機関始動指令が出力された後、早い段階で冷却回路からの冷却水の漏れ異常を検出することができる。【解決手段】インタークーラ装置１は、電動式のウォータポンプ２からの冷却水を圧送する冷却回路１０と、冷却回路１０の途中に設けられて該冷却水と内燃機関の吸気通路においてコンプレッサにより圧縮された空気との間での熱交換を行なうインタークーラ６とを備える。電子制御装置２０は、イグニッションスイッチ２７がオン操作されて機関始動指令が出力されることをもってウォータポンプ２を駆動する。また、ウォータポンプ２の駆動を開始してから所定時間τが経過したときの冷却水の圧力Ｐｗが当該冷却水の漏れ異常が生じていない場合に取り得る圧力以下である所定圧力Ｐｔｈ未満である場合に、当該冷却水の漏れ異常が発生していると判断する。【選択図】図１
2013160067.tif 000002
【特許請求の範囲】
【請求項１】
電動式のポンプからの冷却水を圧送する冷却回路と、前記冷却回路の途中に設けられて該冷却水と内燃機関の吸気通路においてコンプレッサにより圧縮された空気との間での熱交換を行なうインタークーラとを備えるインタークーラ装置に適用され、前記冷却回路からの冷却水の漏れ異常を検出するインタークーラ装置の異常検出装置において、
機関始動指令が出力されることをもって前記ポンプを駆動するとともに、前記冷却回路内における冷却水の圧力の変化態様に基づき前記冷却回路からの冷却水の漏れ異常が発生しているか否かを判断する
ことを特徴とするインタークーラ装置の異常検出装置。
【請求項２】
請求項１に記載のインタークーラ装置の異常検出装置において、
前記ポンプはデューティ制御されるものであり、
機関始動指令が出力されることをもって所定のデューティ比にて継続して前記ポンプを駆動する
ことを特徴とするインタークーラ装置の異常検出装置。
【請求項３】
請求項２に記載のインタークーラ装置の異常検出装置において、
前記ポンプの駆動を開始してから所定時間が経過したときの冷却水の圧力が当該冷却水の漏れ異常が生じていない場合に取り得る圧力以下である所定圧力未満である場合に、当該冷却水の漏れ異常が発生していると判断する
ことを特徴とするインタークーラ装置の異常検出装置。
【請求項４】
請求項２に記載のインタークーラ装置の異常検出装置において、
前記ポンプの駆動を開始してから所定時間が経過するまでの期間における冷却水の圧力変化量が所定値未満である場合に、当該冷却水の漏れ異常が発生していると判断する
ことを特徴とするインタークーラ装置の異常検出装置。
【請求項５】
請求項３又は請求項４に記載のインタークーラ装置の異常検出装置において、
前記所定時間は前記ポンプの駆動が開始されてから機関運転が開始されるまでの時間よりも短くされる
ことを特徴とするインタークーラ装置の異常検出装置。
【請求項６】
請求項２に記載のインタークーラ装置の異常検出装置において、
冷却水の圧力が所定圧力以上となるまでに要する時間が基準時間以上である場合に、当該冷却水の漏れ異常が発生していると判断する
ことを特徴とするインタークーラ装置の異常検出装置。
【請求項７】
請求項２に記載のインタークーラ装置の異常検出装置において、
冷却水の圧力変化量が所定値以上となるまでに要する時間が基準時間以上である場合に、当該冷却水の漏れ異常が発生していると判断する
ことを特徴とするインタークーラ装置の異常検出装置。
【請求項８】
請求項１〜請求項７のいずれか一項に記載のインタークーラ装置の異常検出装置を備え、機関運転を制御する内燃機関の制御装置において、
当該冷却水の漏れ異常が発生していると判断した場合に燃焼室内への吸気の流入を制限する制限制御を実行する
ことを特徴とする内燃機関の制御装置。
【発明の詳細な説明】
【技術分野】
【０００１】
本発明は、インタークーラ装置の異常検出装置、及び同異常検出装置を備え、機関運転を制御する内燃機関の制御装置に関する。
【背景技術】
【０００２】
従来、例えば特許文献１に記載されるように、排気タービン過給機のコンプレッサにより圧縮されて高温となった空気を冷却する水冷式のインタークーラ装置がある。こうしたインタークーラ装置では、電動式のウォータポンプからの冷却水が冷却回路を通じてその途中に設けられたインタークーラに圧送される。そして、該冷却水とコンプレッサにより圧縮された空気との間で熱交換が行なわれることにより該空気の冷却が行なわれる。
【先行技術文献】
【特許文献】
【０００３】
【特許文献１】特開平１―１７７４１４号公報
【発明の概要】
【発明が解決しようとする課題】
【０００４】
ところで、例えばインタークーラを構成するチューブのろう付け部位等に繰り返し圧力が作用することにより同部位に亀裂が生じる場合がある。この場合、冷却回路から吸気通路に冷却水が漏れるようになり、機関停止中に漏れた冷却水が内燃機関の吸気通路内に多量に滞留することとなる。こうした状態において機関運転が開始され、アクセルが大きく操作され、これに伴って吸気量が増大すると、多量の冷却水が吸気の流れに乗って燃焼室内に流入するおそれがある。
【０００５】
本発明は、こうした実情に鑑みてなされたものであり、その目的は、機関始動指令が出力された後、早い段階で冷却回路からの冷却水の漏れ異常を検出することのできるインタークーラ装置の異常検出装置及び内燃機関の制御装置を提供することにある。
【課題を解決するための手段】
【０００６】
以下、上記課題を解決するための手段及びその作用効果について記載する。
（１）請求項１に記載の発明は、電動式のポンプからの冷却水を圧送する冷却回路と、前記冷却回路の途中に設けられて該冷却水と内燃機関の吸気通路においてコンプレッサにより圧縮された空気との間での熱交換を行なうインタークーラとを備えるインタークーラ装置に適用され、前記冷却回路からの冷却水の漏れ異常を検出するインタークーラ装置の異常検出装置において、機関始動指令が出力されることをもって前記ポンプを駆動するとともに、前記冷却回路内における冷却水の圧力の変化態様に基づき前記冷却回路からの冷却水の漏れ異常が発生しているか否かを判断することをその要旨としている。
【０００７】
冷却回路に冷却水の漏れ異常が発生している場合には機関停止中に冷却水が漏れるために冷却回路内における冷却水の充填率が正常時に比べて小さくなる。このため、ポンプを駆動して冷却水を圧送すると、冷却回路内における冷却水の圧力は、当該冷却水の漏れ異常が生じている場合にはそうでない場合に比べて緩やかに上昇することとなる。このように、冷却回路内における冷却水の圧力の変化態様は当該冷却水の漏れ異常が生じている場合とそうでない場合とで異なるものとなる。上記構成によれば、機関始動指令が出力されることをもってポンプが駆動されるとともに、冷却回路内における冷却水の圧力の変化態様に基づき冷却回路からの冷却水の漏れ異常が発生しているか否かが判断されるようになる。したがって、機関始動指令が出力された後、早い段階で冷却回路からの冷却水の漏れ異常を検出することができるようになる。
【０００８】
（２）請求項２に記載の発明は、請求項１に記載のインタークーラ装置の異常検出装置において、前記ポンプはデューティ制御されるものであり、機関始動指令が出力されることをもって所定のデューティ比にて継続して前記ポンプを駆動することをその要旨としている。
【０００９】
同構成によれば、ポンプの駆動制御を簡易なものとすることができる。ここで、当該冷却水の漏れ異常が生じている場合とそうでない場合とでの冷却回路内における冷却水の圧力の変化態様の乖離度合はデューティ比を大きくするほど大きなものとなる。そのため、所定のデューティ比を１００％に設定することが望ましい。
【００１０】
（３）請求項２に記載の発明は、請求項３に記載の発明によるように、前記ポンプの駆動を開始してから所定時間が経過したときの冷却水の圧力が当該冷却水の漏れ異常が生じていない場合に取り得る圧力以下である所定圧力未満である場合に、当該冷却水の漏れ異常が発生していると判断するといった態様をもって具体化することができる。
【００１１】
（４）請求項２に記載の発明は、請求項４に記載の発明によるように、前記ポンプの駆動を開始してから所定時間が経過するまでの期間における冷却水の圧力変化量が所定値未満である場合に、当該冷却水の漏れ異常が発生していると判断するといった態様をもって具体化することができる。
【００１２】
（５）請求項５に記載の発明は、請求項３又は請求項４に記載のインタークーラ装置の異常検出装置において、前記所定時間は前記ポンプの駆動が開始されてから機関運転が開始されるまでの時間よりも短くされることをその要旨としている。
【００１３】
同構成によれば、機関運転が開始される前に冷却回路からの冷却水の漏れ異常を検出することができるようになる。このため、当該冷却水の漏れ異常が発生している場合には機関運転を開始する時点から機関運転を制限することが可能となる。
【００１４】
（６）請求項２に記載の発明は、請求項６に記載の発明によるように、冷却水の圧力が所定圧力以上となるまでに要する時間が基準時間以上である場合に、当該冷却水の漏れ異常が発生していると判断するといった態様をもって具体化することができる。
【００１５】
（７）請求項２に記載の発明は、請求項７に記載の発明によるように、冷却水の圧力変化量が所定値以上となるまでに要する時間が基準時間以上である場合に、当該冷却水の漏れ異常が発生していると判断するといった態様をもって具体化することができる。
【００１６】
（８）請求項８に記載の発明は、請求項１〜請求項７のいずれか一項に記載のインタークーラ装置の異常検出装置を備え、機関運転を制御する内燃機関の制御装置において、当該冷却水の漏れ異常が発生していると判断した場合に燃焼室内への吸気の流入を制限する制限制御を実行することをその要旨としている。
【００１７】
同構成によれば、当該冷却水の漏れ異常が発生していると判断した場合に制限制御が実行されることで燃焼室内への吸気の流入が制限されるようになる。このため、吸気通路内に滞留している多量の冷却水が燃焼室内に流入することが好適に抑制されるようになる。
【図面の簡単な説明】
【００１８】
【図１】本発明の一実施形態に係るインタークーラ装置及び電子制御装置を中心とした概略構成を示す概略図。
【図２】同実施形態における冷却水の漏れ異常判定処理の実行手順を示すフローチャート。
【図３】冷却回路内における冷却水の圧力の時間変化の一例を示すグラフ。
【発明を実施するための形態】
【００１９】
以下、図１〜図３を参照して、本発明を具体化した一実施形態について説明する。
図１に示すように、インタークーラ装置１は、ウォータポンプ２からの冷却水を圧送する冷却回路１０と、冷却回路１０の途中に設けられるインタークーラ６とを備えている。
【００２０】
ウォータポンプ２は電動式のポンプであり、その駆動力である電力が電子制御装置２０によりデューティ制御される。
冷却回路１０はウォータポンプ２の吐出部とインタークーラ６の入口部とを接続している。また、冷却回路１０はインタークーラ６の出口部とリザーブタンク８の入口部とを接続している。また、冷却回路１０はリザーブタンク８の出口部とウォータポンプ２の吸入部とを接続している。
【００２１】
また、冷却回路１０は、ウォータポンプ２の吐出部とインタークーラ６の入口部との間の部位と、インタークーラ６の出口部とリザーブタンク８の入口部との間の部位とを接続する分岐通路１２を有しており、分岐通路１２の途中には排気タービン過給機４が設けられている。すなわち、ウォータポンプ２から圧送される冷却水は分岐通路１２を通じて排気タービン過給機４、より具体的にはベアリングハウジング内に形成された冷却通路に圧送される。
【００２２】
インタークーラ６は、内燃機関の吸気通路において排気タービン過給機４の一部を構成するコンプレッサの下流側に設けられた熱交換器であり、ウォータポンプ２から圧送される冷却水と、コンプレッサにより圧縮された空気との間での熱交換を行なう。
【００２３】
ウォータポンプ２の駆動制御を含む内燃機関の各種制御は電子制御装置２０により行なわれる。電子制御装置２０は、各種制御に係る演算処理を実施する中央演算処理装置（ＣＰＵ）、各種制御用のプログラムやデータが記憶された読み出し専用メモリ（ＲＯＭ）、演算処理の結果等を一時的に記憶するランダムアクセスメモリ（ＲＡＭ）等を備えて構成されている。そして、電子制御装置２０は、各種センサの検出信号を読み込み、各種演算処理を実行し、その結果に基づいて内燃機関を統括的に制御する。
【００２４】
各種センサとしては、機関回転速度ＮＥを検出する機関回転速度センサ２１、吸気量ＧＡを検出する吸気量センサ２２、アクセル操作量ＡＣＣＰを検出するアクセルセンサ２３、過給圧Ｂを検出する過給圧センサ２４、及び排気の空燃比ＡＦを検出する空燃比センサ２５が設けられている。また、スロットルバルブ３１の開度であるスロットル開度ＴＡを検出するスロットルセンサ２６、機関始動指令及び機関停止指令を出力するためのイグニッションスイッチ２７等が設けられている。
【００２５】
また、本実施形態では、冷却回路１０においてウォータポンプ２の吐出部とインタークーラ６の入口部との間に、冷却水の圧力Ｐｗを検出する圧力センサ２８が設けられている。具体的には、圧力センサ２８は、冷却回路１０において分岐通路１２との分岐部とインタークーラ６の入口部との間に設けられている。
【００２６】
これらの各種センサやスイッチは電子制御装置２０に電気的に接続されている。
ところで、前述したように、例えばインタークーラ６を構成するチューブのろう付け部位等に繰り返し圧力が作用することにより同部位に亀裂が生じる場合がある。この場合、インタークーラ６から吸気通路に冷却水が漏れるようになり、機関停止中に漏れた冷却水が内燃機関の吸気通路内に多量に滞留することとなる。こうした状態において機関運転が開始され、アクセルが大きく操作され、これに伴って吸気量が増大すると、多量の冷却水が吸気の流れに乗って燃焼室内に流入するおそれがある。
【００２７】
そこで、本実施形態では、電子制御装置２０を通じて、機関始動指令が出力されることをもってウォータポンプ２を駆動するとともに、冷却水の圧力Ｐｗの変化態様に基づき冷却回路１０からの冷却水の漏れ異常（以下、冷却水の漏れ異常）が発生しているか否かを判断するようにしている。
【００２８】
次に、図２を参照して冷却水の漏れ異常判定処理の実行手順について説明する。尚、このフローチャートに示す一連の処理は、イグニッションスイッチ２７がオン操作されること、すなわち機関始動指令が出力されることをもって開始されるとともに、所定期間毎に繰り返し実行される。
【００２９】
図２に示すように、この一連の処理では、まず、ウォータポンプ２をデューティ比１００％にて駆動する（ステップＳ１）。そして、次に、ウォータポンプ２の駆動が開始されてから所定時間τが経過したか否かを判断する（ステップＳ２）。ここで、所定時間τはウォータポンプ２の駆動が開始されてからクランキングが開始されるまで、すなわち機関運転が開始されるまでの時間よりも短い時間、例えば数秒に設定されている。
【００３０】
最初の制御周期においてはウォータポンプ２の駆動が開始されてから所定時間τが未だ経過していないため、ステップＳ２において否定判断されて、この一連の処理を一旦終了する。
【００３１】
一方、この一連の処理が繰り返されることで、ウォータポンプ２の駆動が開始されてから所定時間τが経過した場合には、ステップＳ２において肯定判断される。そして、次に、そのときの冷却水の圧力Ｐｗを読み込む（ステップＳ３）。そして、次に、冷却水の圧力Ｐｗが所定圧力Ｐｔｈ未満であるか否かを判断する（ステップＳ４）。すなわち、ウォータポンプ２の駆動を開始してから所定時間τが経過したときの冷却水の圧力Ｐｗが所定圧力Ｐｔｈ未満であるか否かを判断する。ここで、所定圧力Ｐｔｈは、当該冷却水の漏れ異常が生じていない場合に取り得る圧力以下の値とされ、実験やシミュレーション等を通じて予め設定されている。
【００３２】
その結果、冷却水の圧力Ｐｗが所定圧力Ｐｔｈ未満ではない場合（ステップＳ４：「ＮＯ」）には、冷却水の漏れ異常が発生していないとして、この一連の処理を終了する。
一方、冷却水の圧力Ｐｗが所定圧力Ｐｔｈ未満である場合（ステップＳ４：「ＹＥＳ」）には、次に、冷却水の漏れ異常が発生していると判断して（ステップＳ５）、この一連の処理を終了する。
【００３３】
また、本実施形態では、当該冷却水の漏れ異常が発生していると判断した場合（ステップＳ５）には、その後の内燃機関の制御において、スロットル開度ＴＡに上限を設定して燃焼室内への吸気の流入を制限する制限制御を実行する。
【００３４】
次に、図３を参照して、本実施形態の作用について説明する。
冷却回路１０に冷却水の漏れ異常が発生している場合には機関停止中に冷却水が漏れるために冷却回路１０内における冷却水の充填率が正常時に比べて小さくなる。このため、図３に示すように、タイミングｔ１においてイグニッションスイッチ２７がオン操作され、ウォータポンプ２を駆動して冷却水を圧送すると、冷却回路１０内における冷却水の圧力Ｐｗは、当該冷却水の漏れ異常が生じている場合（破線）にはそうでない場合（実線）に比べて緩やかに上昇することとなる。
【００３５】
ここで、冷却水の漏れ異常が発生していない場合には、実線にて示すように、タイミングｔ１から所定時間τが経過したタイミングｔ２における冷却水の圧力Ｐｗが最大値Ｐ１となる。これに対して、冷却水の漏れ異常が発生している場合には、破線にて示すように、タイミングｔ２における冷却水の圧力Ｐｗは上記最大値Ｐ１よりも小さい所定圧力Ｐｔｈ未満となる。
【００３６】
そして、タイミングｔ２直後において冷却水の漏れ異常の有無が判断されると、その後のタイミングｔ３においてクランキングが開始されることとなる。
このように本実施形態によれば、イグニッションスイッチ２７がオン操作されて機関始動指令が出力されることをもってウォータポンプ２が駆動されるとともに、冷却回路１０内における冷却水の圧力Ｐｗの変化態様に基づき冷却回路１０からの冷却水の漏れ異常が発生しているか否かが判断されるようになる。したがって、機関始動指令が出力された後、早い段階で冷却回路１０からの冷却水の漏れ異常を検出することができるようになる。
【００３７】
ここで、当該冷却水の漏れ異常が生じている場合とそうでない場合とでの冷却回路１０内における冷却水の圧力の変化態様の乖離度合はデューティ比を大きくするほど大きなものとなる。このため、本実施形態のようにウォータポンプ２がデューティ比１００％にて駆動されることにより、タイミング２における冷却水の圧力Ｐｗは当該冷却水の漏れ異常が生じている場合とそうでない場合とで大きく異なるようになる。
【００３８】
また、本実施形態によれば、冷却水の漏れ異常が発生していると判断した場合には、仮に運転者のアクセル操作によりアクセル操作量ＡＣＣＰが全開とされたとしても、スロットル開度ＴＡは当該アクセル操作量ＡＣＣＰに応じて全開にはされず、全開よりも小さい所定の開度に制限されるようになる。これにより、燃焼室内への吸気の流入が制限されるようになる。このため、吸気通路内に滞留している多量の冷却水が燃焼室内に流入することが好適に抑制されるようになる。
【００３９】
以上説明した本実施形態に係るインタークーラの異常検出装置及び内燃機関の制御装置によれば、以下に示す効果が得られるようになる。
（１）インタークーラ装置１は、電動式のウォータポンプ２からの冷却水を圧送する冷却回路１０と、冷却回路１０の途中に設けられて該冷却水と内燃機関の吸気通路においてコンプレッサにより圧縮された空気との間での熱交換を行なうインタークーラ６とを備えるものとした。電子制御装置２０は、イグニッションスイッチ２７がオン操作されて機関始動指令が出力されることをもってウォータポンプ２を駆動するとともに、冷却回路１０内における冷却水の圧力Ｐｗの変化態様に基づき冷却回路１０からの冷却水の漏れ異常が発生しているか否かを判断するものとした。具体的には、ウォータポンプ２の駆動を開始してから所定時間τが経過したときの冷却水の圧力Ｐｗが当該冷却水の漏れ異常が生じていない場合に取り得る圧力以下である所定圧力Ｐｔｈ未満である場合に、当該冷却水の漏れ異常が発生していると判断するようにした。こうした構成によれば、機関始動指令が出力された後、早い段階で冷却回路１０からの冷却水の漏れ異常を検出することができるようになる。
【００４０】
（２）ウォータポンプ２はデューティ制御されるものとした。また、機関始動指令が出力されることをもって所定のデューティ比（１００％）にて継続してウォータポンプ２を駆動するようにした。こうした構成によれば、ウォータポンプ２の駆動制御を簡易なものとすることができる。また、ウォータポンプ２が１００％のデューティ比にて駆動されることから、当該冷却水の漏れ異常の検出精度を好適に高めることができるようになる。
【００４１】
（３）所定時間τはウォータポンプ２の駆動が開始されてから機関運転が開始されるまでの時間よりも短くされている。こうした構成によれば、クランキングが開始される前、すなわち機関運転が開始される前に冷却回路１０からの冷却水の漏れ異常を検出することができるようになる。このため、当該冷却水の漏れ異常が発生している場合には機関運転を開始する時点から機関運転を制限することが可能となる。
【００４２】
（４）電子制御装置２０は、当該冷却水の漏れ異常が発生していると判断した場合にスロットル開度ＴＡに上限を設定して燃焼室内への吸気の流入を制限する制限制御を実行するようにした。こうした構成によれば、吸気通路内に滞留している多量の冷却水が燃焼室内に流入することが好適に抑制されるようになる。
【００４３】
尚、本発明に係るインタークーラの異常検出装置及び内燃機関の制御装置は、上記実施形態にて例示した構成に限定されるものではなく、これを適宜変更した例えば次のような形態として実施することもできる。
【００４４】
・上記実施形態の制限制御では、スロットル開度ＴＡに上限を設定するようにしたが、本発明に係る制限制御はこれに限られるものではない。要するに、燃焼室内への吸気の流入を制限するものであればよく、例えば吸気バルブのリフト量を可変する機構を備える内燃機関であれば最大リフト量を通常よりも低く設定するものとすることもできる。
【００４５】
・上記実施形態では、ウォータポンプ２の駆動を開始してから所定時間τが経過したときの冷却水の圧力Ｐｗが所定圧力Ｐｔｈ未満である場合に、当該冷却水の漏れ異常が発生していると判断するようにした。すなわち、冷却水の圧力Ｐｗの絶対値に基づいて当該冷却水の漏れ異常の有無を判断するようにした。これに代えて、ウォータポンプ２の駆動を開始してから所定時間τが経過するまでの期間Δｔにおける冷却水の圧力変化量ΔＰｗが所定値α未満である場合に、当該冷却水の漏れ異常が発生していると判断するようにしてもよい。上記期間Δｔにおける冷却水の圧力変化量ΔＰｗは、当該冷却水の漏れ異常が生じている場合にはそうでない場合に比べて小さい。したがって、上記のように冷却水の圧力変化量ΔＰｗ基づいて当該冷却水の漏れ異常の有無を判断する制御構成によれば、上記実施形態の効果（１）に準じた効果を奏することができるようになる。
【００４６】
・上記実施形態によるように、所定時間τをウォータポンプ２の駆動が開始されてから機関運転が開始されるまでの時間よりも短く設定することが、当該冷却水の漏れ異常が発生している場合に機関運転を開始する時点から機関運転を制限することが可能となる点で有利である。しかしながら、本発明はこれに限られるものではなく、所定時間をウォータポンプ２の駆動が開始されてから機関運転が開始されるまでの時間以上の大きさに設定するようにしてもよい。
【００４７】
・上記実施形態及びその変形例では、ウォータポンプ２の駆動を開始してから所定時間が経過したときの冷却水の圧力（圧力Ｐｗの絶対値、圧力変化量ΔＰｗ）に基づいて当該冷却水の漏れ異常の有無を判断するようにした。これに代えて、冷却水の圧力Ｐｗが所定圧力Ｐｔｒｇ以上となるまでに要する時間Δｔｂが基準時間β以上である場合に、当該冷却水の漏れ異常が発生していると判断するようにしてもよい。また、冷却水の圧力変化量ΔＰｗが所定値ΔＰｔｒｇ以上となるまでに要する時間Δｔｃが基準時間γ以上である場合に、当該冷却水の漏れ異常が発生していると判断するようにしてもよい。
【００４８】
・上記実施形態によるように、ウォータポンプ２をデューティ比１００％にて継続して駆動することが、当該冷却水の漏れ異常の検出精度を好適に高める上では望ましい。しかしながら、ウォータポンプ２を駆動する際のデューティ比は１００％に限られるものではなく、これを９０％等の他のデューティー比にすることもできる。
【００４９】
・上記実施形態及びその変形例では、ウォータポンプ２を所定のデューティ比にて駆動するようにした。これに代えて、ウォータポンプ２を駆動する際のデューティ比を徐々に増大させるようにしてもよい。
【符号の説明】
【００５０】
１…インタークーラ装置、２…ウォータポンプ、４…排気タービン過給機、６…インタークーラ、８…リザーブタンク、１０…冷却回路、１２…分岐通路、２０…電子制御装置、２１…機関回転速度センサ、２２…吸気量センサ、２３…アクセルセンサ、２４…過給圧センサ、２５…空燃比センサ、２６…スロットルセンサ、２７…イグニッションスイッチ、２８…圧力センサ、３１…スロットルバルブ。
【図１】
2013160067.tif 000003
【図２】
2013160067.tif 000004
【図３】
2013160067.tif 000005